(57)【要約】異なる種類の複数のカード（５）（６）を着脱自在に収納する携帯電話機（１）（３０）（６０）（７０）であって、この携帯電話機は、筐体（２）（３１）（７１）と、この筐体に設けられ電池パック（３）を収納する第１の収納部（４）と、前記筐体の前記第１の収納部（４）と重ならない位置に設けられ、前記異なる種類の複数のカード（５）（６）を重ねて収納する第２の収納部（７）とを備えたことを特徴とする。
2004004292.tif 000002
【特許請求の範囲】
【請求項１】
異なる種類の複数のカードを着脱自在に収納する携帯電話機であって、
筐体と、
この筐体に設けられ、電池パックを収納する第１の収納部と、
前記筐体の前記第１の収納部と重ならない位置に設けられ、前記異なる種類の複数のカードを重ねて収納する第２の収納部とを備えたことを特徴とする携帯電話機。
【請求項２】
前記第２の収納部は、前記異なる種類の複数のカードの少なくとも１つが前記第２の収容部に装着されていることを確認できるよう構成されていることを特徴とする請求項１記載の携帯電話機。
【請求項３】
前記第２の収納部は、前記筐体に設けられた窓を備え、また前記複数のカードが互いに異なる大きさを有していて、
この窓から前記複数のカードの装着状態を確認できるよう、大きさの小さいカードを前記窓の近くに配置することを特徴とする請求項２記載の携帯電話機。
【請求項４】
前記第２の収納部が複数のカードの挿脱口を備え、この複数のカードの挿脱口のうち、１つのカードの挿脱口が電池パックによって覆われることを特徴とする前記請求項１〜請求項３のいずれか一項記載の携帯電話機。
【請求項５】
前記電池パックが、前記１つのカードの挿脱口を覆う部材を備えていることを特徴とする請求項４記載の携帯電話機。
【発明の詳細な説明】
【技術分野】  この発明は、携帯電話機に関するもので、とくに薄型化および部品の簡素化を図ることができるように改良された携帯電話機に関するものである。
【背景技術】  従来、特開平１０−１９０８０３号公報に示すような先行技術が知られている。この先行技術に示された携帯電話機の構成について図１１に基づいて説明する。図１１において、９０は携帯電話機、９１は携帯電話機９０の筐体、９２は筐体９１に設けられた凹部で、電池パック（図示せず）が装着される。９３は筐体９１の内部に設けられた基板で、この基板９３は凹部９２の表面に設けられた金具（図示せず）を介して電池パックと電気的に接続される。９４は凹部９２に設けられた複合コネクタ、９５は複合コネクタ９４に設けられた外部インターフェースコネクタ、９６は複合コネクタ９４に設けられたメモリカードの挿脱口、９７はメモリカードの挿脱口９６に挿入されるメモリカード、９８は複合コネクタ９４に設けられ、メモリカードの挿脱口９６から挿入されたメモリカード９７が収納されるメモリカードの収納部、９９は外部インターフェースコネクタ９５およびメモリカードの収納部９８への塵の侵入を防止する防塵用蓋、１００はメモリカードの収納部９８からメモリカード９７を押出して取り出すためにメモリカードの収納部９８に設けられたメモリカードの取出用切欠きである。
図１１に示す携帯電話機において、メモリカード９７を携帯電話機９０に装着したいときには、筐体９１から防塵用蓋９９を取り外し、メモリカードの収納部９８にメモリカード９７を収納する。メモリカード９７はメモリカードの収納部９８に収納された状態で、基板９３と情報の伝達を行う。メモリカード９７がメモリカードの収納部９８に収納された後は、メモリカードの収納部９８に塵が入らないように防塵用蓋９９を取り付ける。外部装置のインターフェースを携帯電話機９０に装着したいときには、筐体９１から防塵用蓋９９を取り外し、外部インターフェースのコネクタ９５に外部装置のインターフェースを接続する。外部装置のインターフェースと外部インターフェースコネクタ９５が接続されることにより、携帯電話機９０は外部装置と電気的に接続されることになる。
以上のような携帯電話機によれば、メモリカード９７と外部装置インターフェースとが携帯電話９０に装着することができ、さらに、メモリカード９７と外部装置のインターフェースとが一つの部品からなる複合コネクタ９４に接続されていることにより、部品の共通化が図れ、携帯電話機９０の小型化および部品の簡略化が促進される。
しかしながら、この従来に携帯電話機には以下のような課題があった。
まず、外部装置のインターフェースとメモリカード９７とを装着する複合コネクタ９４が、筐体９１において電池パックが装着される位置と重なる位置に設置されているため、電池パックの厚みに複合コネクタ９４と厚みを加えた寸法まで携帯電話機９０の厚さを厚くする必要があり、携帯電話機の厚さが大きくなってしまう。
また、外部装置のインターフェースとメモリカード９７とが装着される複合コネクタ９４を用いているが、この複合コネクタ９４は体積が大きく、携帯電話機の小型化の障害となっていた。
また、外部インターフェースコネクタ９５とメモリカードの収納部９８とが纏められて筐体９１に収納されていたので、全てのカードを纏めて筐体９１に収納することができなかった。
本発明は上記課題を改善するものであり、以下のことを目的とする。
本発明の第１の目的は、薄型化を可能にした改良された携帯電話機を提案することである。
本発明の第２の目的は、薄型化を可能にし、併せて部品の簡素化を可能にした改良された携帯電話機を提案することである。
【発明の開示】
本発明による携帯電話機は、異なる種類の複数のカードを着脱自在に収納する携帯電話機であって、筐体と、この筐体に設けられ、電池パックを収納する第１の収納部と、前記筐体の前記第１の収納部と重ならない位置に設けられ、前記異なる種類の複数のカードを重ねて収納する第２の収納部とを備えたものである。
また、本発明による携帯電話機は、好ましくは、前記第２の収納部は、前記異なる種類の複数のカードの少なくとも１つが前記携帯電話機に装着されていることを確認できるよう構成されている。
また、本発明による携帯電話機は、好ましくは、前記第２の収納部は、前記筐体に設けられた窓を備え、また前記複数のカードが互いに異なる大きさを有していて、前記窓から前記異なる種類の複数のカードの位置を確認できるよう、大きさの小さいカードを前記窓の近くに配置することを特徴とする。
また、本発明による携帯電話機は、好ましくは、前記第２の収納部が複数のカードの挿脱口を備え、この複数の挿脱口のうち、１つのカードの挿脱口が電池パックに覆われるものである。
さらに、本発明による携帯電話機は、好ましくは、前記電池パックが、前記１つのカードの挿脱口を覆う部材を備えていることを特徴とする。
【図面の簡単な説明】  第１図は、この発明による携帯電話機の実施の形態１を示す斜視図である。
第２図は、この実施の形態１におけるコネクタ装置を示す斜視図である。
第３図は、この実施の形態１におけるコネクタ装置を分解し模式的に示した分解摸式斜視図である。
第４図は、この発明で用いられる取出機構部の構成図である。
第５図は、この発明で用いられる検知手段の拡大図である。
第６図は、この発明による携帯電話機の実施の形態２を示す斜視図である。
第７図は、この実施の形態２におけるコネクタ装置の斜視図である。
第８図は、この発明による携帯電話機の実施の形態３を示す斜視図である。
第９図は、この発明による携帯電話機の実施の形態４を示す斜視図である。
第１０図は、この実施の形態４におけるコネクタ装置の斜視図である。
第１１図は、従来の携帯電話機の斜視図である。
【発明を実施するための最良の形態】  以下、この発明をより詳細に説明するために、この発明を実施するための最良の形態について、添付の図面に従ってこれを説明する。
実施の形態１．
本発明にかかる実施の形態１の構成を第１図に基づいて説明する。第１図において、１は本発明における実施の形態１で使用する携帯電話機、２は携帯電話機１の筐体、３は携帯電話機１に使用する電池パック、４は筐体２に形成された第１の収納部であり、筐体２に段差をもって構成されており、電池パック３を装着する。５はＳＩＭ（Ｓｕｂｓｃｒｉｂｅｒ  Ｉｄｅｎｔｉｔｙ  Ｍｏｄｕｌｅ）カードであり（このＳＩＭカード５は携帯電話機１の所有者などの個人情報を記憶したカードであり、個人の識別のために使用される。６は画像情報などを記憶するメモリカード、７は筐体２に形成された第２の収容部であり、コネクタ装置１０を収容し保持するように、収容孔を筐体２に形成して構成される。コネクタ装置１０は、ＳＩＭカード５およびメモリカード６を収納する保持する。８はコネクタ装置１０の前壁に設けられたカードの挿脱口、９はカードの挿脱口８に取り付けられた多機能蓋で、コネクタ装置１０内へ埃が侵入するのを防止し、また、コネクタ装置１０内部において、ＳＩＭカード５およびメモリカード６の位置が固定されるようにＳＩＭカード５およびメモリカード６を支持する。
実施の形態１で用いるコネクタ装置１０について第２図、第３図に基づいて説明する。第２図はコネクタ装置１０の斜視図、第３図はコネクタ装置１０を、説明のために、分解し模式的に示した斜視図である。
まず、第２図はコネクタ装置１０を構成するボディであり、樹脂によりほぼ方形の箱型に構成されている。第３図は、このコネクタ装置１０のボディ１１を、説明のために分解し、また各壁の厚さをなくして模式的に示している。
コネクタ装置１０のボディ１１は、第２図、第３図に示すように、上壁１１Ａ、前壁１１Ｂ、この前壁１１Ｂと対向する後壁１１Ｃ、相対向する一対の側壁１１Ｄと１１Ｅ、上壁１１Ａと対向する下壁１１Ｆ、および上壁１１Ａと下壁１１Ｆの中間に設けられた仕切壁１１Ｇを有する。第３図では、これらの７つの壁が互いに分離して示されているが、これはあくまで説明のためであって、実際には第２図にように、これらの７つの壁は樹脂により互いに一体に成形されている。コネクタ装置１０のボディ１１は、ほぼ方形の箱型であり、前壁１１Ｂにはカードの挿脱口８が設けられているが、その他の壁はクローズされている。また、カードの挿脱口８は、ＳＩＭカード５の挿脱口８ａと、メモリカード６の挿脱口８ｂを含んでいる。ＳＩＭカード５は、挿脱口８ａを通じて、上壁１１Ａと仕切壁１１Ｆとの間に形成された上収容部に収容され、またこの挿脱口８ａから取り出される。またメモリカード６は、挿脱口８ｂを通じて、仕切壁１１Ｇと下壁１１Ｆの間に形成された下収容部に収容され、またこの挿脱口８ｂから取り出される。
第２図、第３図において、１１はコネクタ装置１０のボディ、１２はボディ１１の後壁１１Ｃの外面に取り付けられた接触導体であり、この接触導体１２と、筐体２の第２の収納部７に設けられた接続端子（図示せず）とが接触することによって、コネクタ装置１０に内臓された基板（図示せず）と携帯電話機１に内臓された基板（図示せず）とが電気的に接続される。１３はコネクタ装置１０の仕切壁１１Ｇの上面に設けられた接触導体であり、挿脱口８ａから挿入されたＳＩＭカード５の表面に設けられたＳＩＭカード給電部（図示せず）が、この接触導体１３に接触することによって、ＳＩＭカード５とコネクタ装置１０に内臓された基板とが電気的に接続される。１４はコネクタ装置１０の下壁１１Ｆの上面に設けられた端子板の接触導体であり、挿脱口８ｂから挿入されたメモリカード６の端面に設けられたメモリカード給電部（図示せず）が、この接触導体１４と接触することによって、メモリカード６とコネクタ装置１０に内臓された基板とが電気的に接続される。
１５はコネクタ装置１０の仕切壁１１Ｇの上面に配置された取出機構部であり、この取出機構部１５が動作することによって、ＳＩＭカード５がコネクタ装置１０から取り出される。この取出機構部１５は、板バネ１６、連結部材１７および巻きバネ１８を有する。
板バネ１６は湾曲部１６ａを備える。ＳＩＭカード５が収容位置からさらに押されることによって、この湾曲部１６ａに対して、変形力が働くと、湾曲部１６ａにおいて復元力が生じる。連結部材１７の一端は、板バネ１６に取り付けられており、その他端は巻きバネ１８の一端に取付られている。巻きバネ１８の他端はボディ１１の仕切壁１１Ｇに取り付けられる。ＳＩＭカード５が収容位置からさらに押される動作によって、板バネ１６が押し込まれ、これに伴なって巻きバネ１８が伸びて、巻きバネ１８にも復元力が生じる。これらの板バネ１６および巻きバネ１８の復元力により、ＳＩＭカード５が押し出される。
１９はコネクタ装置１０の下壁１１Ｆの上面に配置された取出機構部であり、この取出機構部１５が動作することによって、メモリカード６がコネクタ装置１０から取り出される。この取出機構部１９は、板バネ２０、連結部材２１および巻きバネ２２を有する。
板バネ２０は湾曲部２０ａを備える。メモリカード６が収容位置からさらに押されることによって、この湾曲部２０ａに対して、変形力が働くと、湾曲部２０ａにおいて復元力が生じる。連結部材２１の一端は、板バネ２０に取り付けられており、その他端は巻きバネ２２の一端に取付られている。巻きバネ２２の他端はボディ１１の下壁１１Ｆに取り付けられる。メモリカード６が収容位置からさらに押される動作によって、板バネ２０が押し込まれ、これに伴なって巻きバネ２２が伸びて、巻きバネ２２にも復元力が生じる。これらの板バネ１６および巻きバネ１８の復元力により、メモリカード６が押し出される。
コネクタ装置１０はさらに検知手段２３を有する。この検知手段２３は第３図に示すように、仕切壁１１Ｇの奥に設置されている。この検知手段２３の詳細を第５図について説明する。この検知手段２３はＳＩＭカード５がコネクタ装置１０に装着されているか否かを検知するもので、接触子片２４、２５を有する。接触子片２４、２５は、ボディ１１の仕切壁１１Ｇに取り付けられており、接触子片２４の一端が接触子片２５の上に接触している。接触子片２５は湾曲部２５ａと接触部２５ｂを有し、接触子片２４は接触子片２５の接触部２５ｂの上に接触している。接触子片２４、２５が互いに接触していれば、接触子片２４に電流が流れ、この電流が流れる状態によって、ＳＩＭカード５がコネクタ装置１０に装着されていない状態と認識される。
実施の形態１にかかる発明の動作を第１図、第２図、第３図、および第５図に基づいて説明する。
メモリカード６が携帯電話機１に装着される場合の動作を説明する。筐体２に備わる多機能蓋９を開いた状態にすると、メモリカード６が第２の収納部７に装着されるコネクタ装置１０に対し挿脱自在となる。この状態でメモリカード６がコネクタ装置１０のカード挿脱口８ｂからコネクタ装置１０に装着される。メモリカード６がコネクタ装置１０へ装着された後は多機能蓋９を閉じることによって、コネクタ装置１０の中への埃の侵入が防止される。
また、多機能蓋９を閉じたときは、多機能蓋９とメモリカード６とが密着する状態にあり、携帯電話機１に衝撃が加わった際にも、メモリカード６がコネクタ装置１０内でずれることが防止される。したがって、メモリカード６が備えるメモリカード給電部とコネクタ装置１０が備える導体１３との接触不良が防止される。
メモリカード６がコネクタ装置１０に装着されている間、メモリカード６の先端に取り付けられたメモリカード給電部がコネクタ装置１０に設けられた接触導体１４と接触する。この接触に基づき、メモリカード６とコネクタ装置１０に内臓された基板（図示せず）との間が電気的に接続され、コネクタ装置１０が接触導体１２を介して携帯電話機１に備えられた基板（図示せず）と電気的に接続される。
メモリカード６が携帯電話機１から外されるときの動作を説明する。筐体２に備わる多機能蓋９を開いた状態にすることによって、メモリカード６が第２の収納部７に装着されたコネクタ装置１０に対して取り外すことができる状態となる。この状態において、作業者がメモリカード６をコネクタ装置１０のさらに奥の方向（以降、押込方向Ａという。）へ押し込むことによって、板バネ１６、連結部材１７、および巻きバネ１８の部品群に対して押込方向Ａに力（以降、「押込力」という。）が加わる。押込方向Ａは第３図に示される。押込力によって、板バネ１６および連結部材１７は押込方向Ａへ移動する。また、巻きバネ１８の一端はボディ１１に固定されているので、押込力によってこの巻きバネ１８の長さが伸張する。従って、押込力により、巻きバネ１８における復元力が生じる。また、押込力によって板バネ１６が備える湾曲部１６ａが変形する。従って、押込力により、湾曲部１６ａにおける復元力が生じる。作業者がメモリカード６をコネクタ装置１０の奥へ押し込むことをやめると、押込力が取り除かれる。従って、湾曲部１６ａにおける復元力および巻きバネ１８における復元力によって、メモリカード６がコネクタ装置１０から押出される方向（以降、押出方向Ｂという。）にメモリカード６が移動する。押出方向Ｂも第３図に示される。メモリカード６が押出方向Ｂに移動することによって、メモリカード６がコネクタ装置１０から突出する。メモリカード６がコネクタ装置１０から突出することによって、作業者はメモリカード６を抜出すことができる。
なお、取出機構部１５の他にも、第４図に示すようなその他の取出機構部を用いても良い。その他の取出機構部について第４図に基づいて説明する。
第４図において、２６はメモリカード６を押出す押出部材、２７は押出部材２６に取り付けられる連結部材、２８は押出部材２６に取り付けられる支点、２９は連結部材２７に取り付けられる押出ボタンである。
次に第４図に基づいてその他の取出機構部の動作を説明する。
作業者が押出ボタン２９を押すと、連結部材２７が押込方向Ａへ移動する。連結部材２７が押込方向Ａへ移動することによって、支点２８を中心にして押出部材２６が回転する。この回転によって押出部材２６は押出方向Ｂへ移動する。その押出し部材２６の移動によって、メモリカード６が押出方向Ｂへ押出される。
メモリカード６およびその他一般に携帯電話機等に使用されるメモリカード（以降、一般メモリカードという。）は、この一般メモリカードがコネクタ装置１０およびその他コネクタ装置（以降、一般コネクタ装置という。）から取り外されるときに動作する保護手段を備えている。
そのため、メモリカード６が、給電された状態のまま、コネクタ装置１０から取り外された場合、メモリカード６がコネクタ装置１０から取り外されるとき、保護手段が動作することによって、メモリカード６への給電が停止される。したがって、メモリカード６がコネクタ装置１０から給電された状態で取り外されると破損してしまうメモリカード６であった場合に、メモリカード６が給電状態のままコネクタ装置１０から取り外されたとしても、メモリカード６の破損が防止される。
ＳＩＭカード５が携帯電話機１に対して挿脱される場合の動作を説明する。ＳＩＭカード５はコネクタ装置１０から取り外されるときに動作する保護手段が設けられていない。そのため、ＳＩＭカード５が、給電された状態でコネクタ装置１０から取り外された場合、ＳＩＭカード５が破損するおそれがある。そのためＳＩＭカード５の破損が生じないように、コネクタ装置１０には、ＳＩＭカード５はコネクタ装置１０に装着されているか否かを検知する検知手段２３が備えられている。その検知手段２３が動作することによって、ＳＩＭカード５がコネクタ装置１０から給電された状態で取り外されはじめても、ＳＩＭカード給電部とコネクタ９に設けられた導体１３とが接触している間に、ＳＩＭカード５への給電を切断することができる。
その他の動作は、メモリカード６が携帯電話機１に対して挿脱される場合と同様であるので説明を省略することとし、以下検知手段２３の動作をさらに説明する。
検知手段２３の動作について第５図に基づいて説明する。
ＳＩＭカード５がコネクタ装置１０に装着されていないときは、接触子片２４および２５は接触している。その間接触子片２４および２５を電流が流れ、コネクタ装置１０はＳＩＭカード５がこのコネクタ装置１０に装着されていないことを認識する。
ＳＩＭカード５がコネクタ装置１０に挿入される場合、ＳＩＭカード５が接触子片２５の湾曲部２５ａの上部に載る。したがって、ＳＩＭカード５がコネクタ装置１０に挿入されると、接触部２５ｂが下方へ移動する。したがって、接触子片２４と接触子片２５が接触しない状態となる。その状態では接触子片２４と接触子片２５との間に電流が流れない。接触子片２４と接触子片２５との間に電流がながれないことをコネクタ装置１０が認識することによって、ＳＩＭカード５はコネクタ装置１０に装着されていることが認識される。
以上のような構成によれば、携帯電話機１に必要なカードの全てが第２の収納部７に纏められ、いずれのカードの装着位置も第１の収納部４の位置と重ならない。したがって、携帯電話機１の厚さをさらに薄くすることができる。
また、ＳＩＭカード５のコネクタ装置およびメモリカード６のコネクタ装置を複合させたコネクタ装置１０を携帯電話機１に組み込むことにより、携帯電話機１の厚さをさらに薄くすることが実現できる。
実施の形態２．
本発明による携帯電話機の実施の形態２を第６図に基づいて説明する。第６図において、３０は実施の形態２で用いる携帯電話機、３１は携帯電話機３０に用いられた筐体、３２は筐体３１に設けられた第２の収納部、３３は第２の収納部３２に設けられたＳＩＭカードの挿脱口であり、第１の収納部４の方向に開口する位置に設けられている。３４は第２の収納部３２に設けられたメモリカードの挿脱口であり、ＳＩＭカードの挿脱口３３とは互いに直交する方向に開口されている。３５はＳＩＭカードの挿脱口３３を塞ぐ多機能蓋で、この多機能蓋３５が後述するコネクタ装置３７への埃の侵入を防止し、またコネクタ装置３７内部において、ＳＩＭカード５の位置が固定されるようにＳＩＭカード５を支持する。３６はメモリカードの挿脱口３４を塞ぐ多機能蓋で、この多機能蓋３６が後述するコネクタ装置３７への埃の侵入を防止し、またコネクタ装置３７内部において、メモリカード６の位置が固定されるようにメモリカード６を支持する。３７は第２の収納部３２に取り付けられるコネクタ装置である。なお、第６図においてはコネクタ装置３７の詳細な記載は省略する。第６図においてその他の構成は実施の形態１と同様であるので、同一符号を付して説明を省略する。
実施の形態２で用いるコネクタ装置３７について第７図に基づいて説明する。
第７図において、４０はコネクタ装置３７のボディで、コネクタ装置３７からＳＩＭカード５を挿脱する方向はコネクタ装置３７からメモリカード６を挿脱する方向に対して直交方向である点が実施の形態１と異なる。４１は第２の収納部３２に設けられた接続端子（図示せず）と接続される接触導体で、その接触端子を通じてこの導体４１と携帯電話機３０に内臓されている基板（図示せず）とが電気的に接続される。その他の構成は実施の形態１と同様であるので、同一符号を付して説明を省略する。
この実施の形態２にかかる構成の動作を説明する。この実施の形態２において、ＳＩＭカード５が携帯電話機３０から挿脱される場合について説明する。
携帯電話機３０が動作しているとき、電池パック３が携帯電話機３０の第１の収納部４に装着されている。また、ＳＩＭカードの挿脱口３３が電池パック３に覆われている。従って、携帯電話機３０が動作している場合にＳＩＭカード５を取り外すとき、初めに電池パック３が第１の収納部４から取り外される。電池パック３が第１の収納部４から取り外された後、多機能蓋３５が第２の収納部３２から取り外される。多機能蓋３５が第２の収納部３２から取り外された後は、ＳＩＭカード５がコネクタ装置３７に挿脱可能な状態になる。この状態でＳＩＭカード５をコネクタ装置３７に挿脱する。装着または取り出す動作は実施の形態１と同様に行うので説明を省略する。また、携帯電話機３０からメモリカード６を取り外すときの動作も、実施の形態１と同様であるので説明を省略する。
コネクタ装置３７の動作は、ＳＩＭカード５をコネクタ装置３７から挿脱する動作方向とメモリカード６をコネクタ装置３７から挿脱する動作方向とが異なる点で実施の形態１と異なる。その他の構成は実施の形態１と同様であるので説明を省略する。
以上のような構成によれば、電池パック３を第１の収納部４から取り外さない限り、ＳＩＭカード５をコネクタ装置３７に対して挿脱可能にならないので、ＳＩＭカード５が給電されている状態で、ＳＩＭカード５が取り外される恐れがなくなる。
また、メモリカード６は電池パック３の装着の有無によらずコネクタ装置３７に対して挿脱可能になる。
実施の形態３．
この発明による携帯電話機の実施の形態３について第８図に基づいて説明する。
第８図において、６０は実施の形態３にかかる携帯電話機、６１は実施の形態３で用いられる電池パック、６２は電池パック６１に取り付けられた支持部材であり、ＳＩＭカードの挿脱口３３に対向する位置に突出して設けられ、実施の形態２における多機能蓋３５と同様の機能を有する。その他の構成については実施の形態１および実施の形態２と同様であるので説明を省略する。
実施の形態３の動作について第８図に基づいて説明する。この実施の形態３においては、電池パック６１を携帯電話機６０から取り外すとともに、ＳＩＭカード５がコネクタ装置３７に挿脱可能になる。その他の動作については実施の形態１および実施の形態２と同様であるので説明を省略する。
以上のような構成によれば、電池パック６１が支持部材６２を備えているので、部品点数の削減、作業手順の省略化を実現できる。
実施の形態４．
この発明による携帯電話機の実施の形態４について第９図および第１０図に基づいて説明する。
第９図および第１０図において、７０は実施の形態４にかかる携帯電話機、７１は携帯電話機７０に用いられた筐体、７２は筐体７１に設けられた第２の収納部、７３は第２の収納部７２に設けられた可視孔（本項において、窓を可視孔という。）で、この可視孔７３によって、筐体７０の外から、第２の収納部７２の内部を覗くことが可能になる。７４は第２の収納部７２に設けられた可視孔で、この可視孔７４によって、筐体７０の外から、第２の収納部７２の内部を覗くことが可能になる。７５は実施の形態４で用いられるコネクタ装置である。８０はコネクタ装置７５のボディである。このボディ８０は、ＳＩＭカード５の装着位置がメモリカード６の装着位置よりも、第２の収納部７２が備える可視孔７３および７４の近くになるような構成を有する。また、ＳＩＭカード５の面積はメモリカード６の面積よりも小さい。８１はボディ８０の上壁８０Ａに設けられた可視孔で、この可視孔８１によって、ＳＩＭカード５がコネクタ装置７５に実装されているか否かが視認される。８２はボディ８０の上壁８０Ａに設けられた可視孔で、この可視孔８２によって、メモリカード６がコネクタ装置７５に実装されているか否かが視認される。なお、実施の形態４において、仕切壁１１Ｇに相当する仕切壁の奥部には開口が設けられ、この開口を通じて、可視孔８２からメモリカード６の存否が確認される。その他の構成については実施の形態３と同様であるので、同一符号を付して説明を省略する。
実施の形態４の動作について第９図に基づいて説明する。
ＳＩＭカード５をコネクタ装置７５に装着しているときは、可視孔７３および可視孔８１を通してＳＩＭカード５が見える。ＳＩＭカード５をコネクタ装置７５から取り外すと、可視孔７３および可視孔８１を通してコネクタ装置７５の内部が見える。コネクタ装置７５の内部をＳＩＭカード５の色とは異なる色とすることは、視認性を向上させることになるので望ましい。
メモリカード６をコネクタ装置７５に装着しているときは、可視孔７４および可視孔８２を通してメモリカード６が見える。メモリカード６をコネクタ装置７５から取り外すと、可視孔７４および可視孔８２を通してコネクタ装置７５の内部が見える。コネクタ装置７５の内部をＳＩＭカード５の色とは異なる色とすることは、視認性を向上させることになるので望ましい。
以上のような構成によれば、ＳＩＭカード５およびメモリカード６がコネクタ装置７５に装着されているか否かの確認を容易に行うことができる。また、この確認方法は電子部品を必要としないので、少ない部品点数でＳＩＭカード５およびメモリカード６の装着の有無が確認できる。
以上のように、本発明は、携帯電話機に必要な複数のカードが第２の収納部に纏められ、いずれのカードの装着位置も第１の収納部の位置と重ならないので、携帯電話機の薄型化が実現される。
本発明は、第２の収納部に異なる種類の複数のカードの少なくとも１つがコネクタ装置に装着されたか否かを確認できるように構成されているので、カードの少なくとも１つが第２の収納部に実装されているか否かの確認ができる。
本発明は、大きさの異なるカードのうち、大きさの小さいカードが窓の近くに配置されるので、種類の異なる複数のカードが第２の収納部に装着されているか否かが確認可能である。
本発明は、複数のカードの挿脱口のうち、１つカードの挿脱口が電池パックに覆われているので、一部のカードは電池パックを携帯電話機から取り外してから出ないと挿脱できない。したがって、１つのカードが給電されたまま携帯電話から取り外されることが無くなり、１つのカード以外のカードが、電池パックが携帯電話機に装着されているときであっても、挿脱可能になる。
本発明は、電池パックが、カードの挿脱口を覆う部材を備えているので、部品点数の削減、またはカード挿脱動作速度の向上を実現できる。
【産業上の利用可能性】  本発明は携帯電話機に用いられる。
【図１】
2004004292.tif 000003
【図２】
2004004292.tif 000004
【図３】
2004004292.tif 000005
【図４】
2004004292.tif 000006
【図５】
2004004292.tif 000007
【図６】
2004004292.tif 000008
【図７】
2004004292.tif 000009
【図８】
2004004292.tif 000010
【図９】
2004004292.tif 000011
【図１０】
2004004292.tif 000012
【図１１】
2004004292.tif 000013
【手続補正書】
【提出日】平成16年11月10日(2004.11.10)
【手続補正１】
【補正対象書類名】図面
【補正対象項目名】図９
【補正方法】変更
【補正の内容】
【図９】
2004004292.tif 000014
【国際調査報告】
2004004292.tif 000015
2004004292.tif 000016